(57)【特許請求の範囲】
【請求項１】
温水パイプが収容された溝を上面に有する基材と、温水パイプを覆うように基材の上面に接合された被覆部材とを備え、被覆部材が、透明または半透明の合成樹脂製シートの上面または下面に、温水パイプを上方から視認し得るように多数の貫通孔があけられた金属製多孔シートを積層したものよりなる、床暖房パネル。
【請求項２】
基材の上面および温水パイプの外面が互いに異なる色を有する材料で構成されている、請求項１記載の床暖房パネル。
【請求項３】
基材の上面および温水パイプの外面のうち少なくとも一方に同他方の色と異なる色が付された着色部が設けられている、請求項１記載の床暖房パネル。
【請求項４】
温水パイプが透光性を有する材料よりなり、基材の上面および溝の内面が互いに異なる色を有する材料で構成されている、請求項１記載の床暖房パネル。
【請求項５】
温水パイプが透光性を有する材料よりなり、基材の上面および溝の内面のうち少なくとも一方に同他方の色と異なる色が付された着色部が設けられている、請求項１記載の床暖房パネル。
【請求項６】
床下地の上に請求項１〜５のいずれか１つに記載の床暖房パネルが配されて釘類およびねじ類のうち少なくとも一方によって接合され、床暖房パネルの上に床材が敷設されている、暖房床構造。
【発明の詳細な説明】
【０００１】
【発明の属する技術分野】
本発明は、床暖房パネル、および該パネルを用いた暖房床構造に関する。
【０００２】
【従来の技術および発明が解決しようとする課題】
従来の床暖房パネルとして、図７および８に示すように、温水パイプ(102)が収容された溝(103a)を上面に有する基材(103)と、温水パイプ(102)を覆うように基材(103)の上面に接合された被覆部材(104)とを備えたものが知られている。基材(103)は、木質材や硬質発泡体で構成され、被覆部材(104)は、アルミニウム等の金属板や木質板で構成されている。
【０００３】
上記の床暖房パネル(101)は、床下地の上に配されて、釘類・ねじ類によって接合される。更に、該床暖房パネル(101)の上に、木質材等で構成された床材が配されて、接着剤および／または釘類・ねじ類によって接合される。こうして、暖房床構造が形成される。
【０００４】
以上のように、暖房床構造の施工に際しては釘類やねじ類が用いられるので、床暖房パネル(101)内の温水パイプ(102)を釘類・ねじ類で損傷させないように細心の注意を払う必要がある。ところが、上記の床暖房パネル(101)の場合、その上方から温水パイプ(102)を視認することができない。そのため、図７および８に示すように、床暖房パネル(101)の上面、即ち、被覆部材(104)の上面に、内部の温水パイプ(102)の位置を示す表示(105)がスクリーン印刷機等によって印刷されていた。印刷表示(105)は、図７および８のように温水パイプ(102)に対応しない部分に形成されるいわゆる中抜きの場合の他、温水パイプ(102)に対応する部分に形成される場合もある。
【０００５】
ところで、温水パイプ(102)の配管パターンは一律ではなく、諸条件に応じて適宜に設計されるものである。したがって、床暖房パネル(101)の上面には、それぞれの温水パイプ(102)の配管パターンに応じた印刷表示(105)を形成する必要がある。
【０００６】
しかし、スクリーン印刷機等の版を温水パイプ(102)の配管パターンが変わる毎に交換するのは面倒であり、版の交換作業が頻繁になれば、その作業中に版を傷付ける等して印刷に支障を来す恐れもある。
【０００７】
また、床暖房パネル(101)上面への温水パイプ(102)の配管パターンの表示(105)の印刷は最終工程で行われるが、その印刷前の状態では配管パターンがわからない。従って、温水パイプ(102)の配管パターンが多くなれば、温水パイプ(102)の配管パターンと床暖房パネル(101)上面の印刷表示(105)とが合致しないミスマッチを起こす可能性が高くなる。しかし、上記のようなミスマッチに気付かずに、施工時に温水パイプ(102)を釘類・ねじ類で破損させる恐れがあった。
【０００８】
本発明の目的は、上面に温水パイプの位置を示す印刷表示を形成しておかなくても、施工時に内部の温水パイプを釘類・ねじ類で破損させる恐れがない床暖房パネル、および該パネルを用いた暖房床構造を提供することにある。
【０００９】
【課題を解決するための手段】
本発明による床暖房パネルは、温水パイプが収容された溝を上面に有する基材と、温水パイプを覆うように基材の上面に接合された被覆部材とを備え、被覆部材が、その上方から温水パイプを視認し得るような材料よりなるものである。上方から温水パイプを視認し得るような被覆部材の材料は、例えば、透光性を有するシート、ネット、多孔シート、またはこれらの少なくとも２つを組み合わせたもの等である。
【００１０】
上記のように、被覆部材をその上方から温水パイプを視認し得るような材料で構成すれば、従来技術のように被覆部材の上面に所要の印刷表示を形成しておかなくても、床暖房パネルや床材の施工時に床暖房パネル内の温水パイプを釘類やねじ類で破損させる恐れがない。また、製造工程の削減によるコストダウンも期待できる。
【００１１】
本発明による床暖房パネルにおいて、基材の上面および温水パイプの外面が互いに異なる色を有する材料で構成されているのが好ましい。
【００１２】
上記によれば、基材上面および温水パイプ外面の構成材料の色の相違によって、被覆部材の上方からの温水パイプの視認が容易となり、施工時に温水パイプを釘類やねじ類で破損させる恐れが更に小さくなる。
【００１３】
また、本発明による床暖房パネルにおいて、基材の上面および温水パイプの外面のうち少なくとも一方に同他方の色と異なる色が付された着色部が設けられている場合がある。
【００１４】
上記の場合、基材上面および温水パイプ外面のうち少なくとも一方に設けられた着色部と同他方（着色部の場合もある）との色の相違によって、被覆部材の上方からの温水パイプの視認が容易となり、施工時に温水パイプを釘類やねじ類で破損させる恐れが更に小さくなる。
【００１５】
上記の場合において、着色部は、製造の手間を考慮すると、基材上面および温水パイプ外面のうちいずれか一方のみに設けられるのが好ましい。着色部は、基材上面および／または温水パイプ外面に全面的に設けられる他、温水パイプの視認が容易になるのであれば、部分的に設けられていても良い。後者の具体例としては、基材の上面に着色部を縞状に設けるものや、温水パイプの外面に着色部を直線状または螺旋状に設けるもの等が挙げられる。
【００１６】
本発明による床暖房パネルにおいて、温水パイプが透光性を有する材料よりなる場合には、基材の上面および溝の内面が互いに異なる色を有する材料で構成されているのが好ましい。
【００１７】
上記によれば、基材上面および透光性を有する温水パイプを通して見える溝内面の構成材料の色の相違によって、被覆部材の上方からの温水パイプの視認が容易となり、施工時に温水パイプを釘類やねじ類で破損させる恐れが更に小さくなる。具体例としては、基材が複数の層よりなり、基材上面を構成する層と、溝内面を構成する層とが、互いに異なる色を有する材料で構成されている場合等が挙げられる。
【００１８】
また、本発明による床暖房パネルにおいて、温水パイプが透光性を有する材料よりなり、基材の上面および溝の内面のうち少なくとも一方に同他方の色と異なる色が付された着色部が設けられている場合がある。
【００１９】
上記の場合、基材の上面および透光性を有する温水パイプを通して見える溝の内面のうち少なくとも一方に設けられた着色部と同他方（着色部の場合もある）との色の相違によって、被覆部材の上方からの温水パイプの視認が容易となり、施工時に温水パイプを釘類やねじ類で破損させる恐れが更に小さくなる。
【００２０】
上記の場合において、着色部は、製造の手間を考慮すると、基材上面および溝内面のうちいずれか一方のみに設けられるのが好ましい。着色部は、基材上面および／または溝内面に全面的に設けられる他、温水パイプの視認が容易になるのであれば、部分的に設けられていても良い。後者の具体例としては、溝の内面のうち底面に着色部を設ける場合や、または溝の内面のうち両側面の全体またはこれらの上端部に着色部を設ける場合等が挙げられる。
【００２１】
次に、本発明による暖房床構造は、床下地の上に本発明による上記床暖房パネルが配されて釘類およびねじ類のうち少なくとも一方によって接合され、床暖房パネルの上に床材が敷設されているものである。床材は、接着剤、粘着剤、両面粘着・接着テープによる接着・粘着、釘類、ねじ類による機械的接合、または両者の併用によって床暖房パネルの上に接合される場合の他、隣接床材どうしが接合された状態で床暖房パネルの上に置敷きされる場合もある。
【００２２】
上記の暖房床構造によれば、床暖房パネル上面を構成する被覆部材がその上方から温水パイプを視認し得るような材料よりなるので、床下地の上に床暖房パネルを敷設する際や、更に床暖房パネルの上に床材を敷設する際に、床暖房パネル内の温水パイプを釘類やねじ類によって破損させる恐れがない。
【００２３】
【発明の実施の形態】
図１〜３には、本発明の第１の実施形態が示されている。図１および２において、本発明による床暖房パネル(1)は、温水パイプ(2)が収容された溝(31)を上面に有する基材(3)と、温水パイプ(2)を覆うように基材(3)の上面に接合された被覆部材(4)とを備えている。被覆部材(4)は、その上方から温水パイプ(2)を視認し得るような材料よりなる。
【００２４】
床暖房パネル(1)は、図１に示すように平面より見て長方形や正方形のものが一般に用いられる。なお、図示は省略したが、隣接パネル間にまたがるように配管された温水パイプによって一体化された折り畳みまたは巻回可能な複数の床暖房パネルの各々に本発明を適用することも可能である。
【００２５】
温水パイプ(2)の材料としては、鉄、銅等の金属製パイプや、ポリエチレン、ポリプロピレン、ポリブテンといったポリオレフィン系樹脂等の柔軟性を有する合成樹脂製パイプ等が挙げられる。なお、接続性の点からいえば、柔軟性に富んでいて、タケノコ継手やパイプバンドを使って容易に接続できる架橋ポリエチレン樹脂製パイプによって温水パイプ(2)を構成するのが好ましい。
【００２６】
基材(3)の材料としては、以下の２種類のものが挙げられる。まず第１は、それ自体が優れた釘類・ねじ類保持力を有している材料である。具体的には、木質材、木粉混入合成樹脂板、合成樹脂板、発泡倍率２〜１０倍程度の合成樹脂低発泡体が、単独でまたは複数組み合わられて使用される。木質材としては、合板、パーティクルボード、ＯＳＢ、中質繊維板、高比重繊維板等が挙げられる。木粉混入合成樹脂板、合成樹脂板、合成樹脂低発泡体は、ポリエチレンやポリプロピレン等のポリオレフィン系、ポリスチレン系、ＡＢＳ系、アクリル系、ウレタン系、フェノール系、ポリ塩化ビニル系等の合成樹脂から形成される。また、上記材料の裏側や厚さ中間等に、インシュレーションボードや上記以外の合成樹脂発泡体のような釘類・ねじ類保持力が弱いかまたは無い材料を配したものを、基材(3)として用いてもよい。さらに、上記材料よりなる基材(3)の上面に、均熱層を設けるようにしても良い。均熱層は、例えば、アルミニウム、鉄、銅等の金属製シートや、無機質材といった熱伝導に優れた材料によって構成される。
【００２７】
基材(3)の材料として用いられる第２のものは、軽量であって、釘類・ねじ類保持力が弱いかまたは無い材料である。具体的には、インシュレーションボードや、密度が約３５０ｋｇ／ｍ３程度以下の合成樹脂発泡体等が挙げられる。上記の材料は、比重が小さくて軽いので、床暖房パネル(1)の軽量化に寄与する点で、基材(3)の材料として望ましい。もっとも、上記材料は釘類・ねじ類保持力に欠けるため、後述するように、これと組み合わせて使用される被覆部材(4)を、釘類やねじ類の頭部が貫通しないような材料から形成する必要がある。上記の合成樹脂発泡体としては、ポリエチレンやポリプロピレン等のポリオレフィン系、ポリスチレン系、ＡＢＳ系、アクリル系、ウレタン系、フェノール系、ポリ塩化ビニル系等の合成樹脂の発泡体が挙げられる。また、これらが複数組み合わせられても良い。基材(3)を構成する合成樹脂発泡体は、保形性に優れ、取り扱いが容易である硬質のものが望ましい。具体的には、ポリスチレン系、ＡＢＳ系、ウレタン系、フェノール系等の硬質合成樹脂発泡体が挙げられる。硬質合成樹脂発泡体としては、その圧縮比例限が、好ましくは０．６ＭＰａ以上、より好ましくは０．７ＭＰａ以上、さらに好ましくは０．８ＭＰａ以上のものが用いられる。これにより、床暖房パネル(1)を釘類やねじ類で床下地上に接合する際に該パネル(1)上面に窪みが生じ難くなる上、該パネル(1)の上に床材を施工して得られる暖房床構造を耐圧性に優れたものとすることができる。上記のような硬質合成樹脂発泡体は、通常、発泡倍率を１５倍程度以下（好ましくは１２．５倍程度以下）とすることにより得られる。
【００２８】
基材(3)上面の溝(31)は、温水パイプ(2)の寸法や配管パターンに応じて適宜形成される。図１では、温水パイプ(2)が２重蛇行状に配管されるように、基材(3)上面に溝(31)が２重蛇行状に形成されている。溝(31)の横断面形状は、例えば図２に示すようにＵ形となされる。前記溝(31)は、通常、ルータ等を使用して基材(3)に溝付け加工を施すことにより形成される。但し、基材(3)の材料として合成樹脂発泡体を用いる場合には、溝付け加工の他、型押し成形溝付け加工や型内発泡成形によっても、前記溝(31)を形成することができる。
【００２９】
被覆部材(4)は、溝(31)に収容された温水パイプ(2)を覆ってこれを溝(31)内に固定しかつ保護し得るとともに、上方から温水パイプ(2)を視認し得るようなものであればよい。また、被覆部材(4)は必ずしも基材(3)上面に全面的に接合されていることを要せず、上記のような機能を果たし得るのであれば、基材(3)上面に部分的に接合されていても良い。上記被覆部材(4)の材料としては、透光性を有するシート、ネット、多孔シート等を例示することができる。図１〜３では、透光性を有するシートよりなる被覆部材(4)が示されている。なお、この明細書において、「シート」は、厚みが薄い平面状素材を指し、通常フィルムと呼ばれるものも含むこととする。
【００３０】
透光性を有するシートとしては、透明または半透明の合成樹脂製シート、より具体的には、ポリエチレン、ポリプロピレン等のポリオレフィン系、アクリル系、ポリカーボネート、ポリスチレン系、ＡＢＳ系等の合成樹脂からなる透明または半透明の軟質発泡シートまたは硬質発泡シートが挙げられる。また、上記の合成樹脂に合成樹脂繊維、炭素繊維等を混入した透明または半透明のＦＲＰ製シートであっても良い。同様に、上記の合成樹脂に鉄、アルミニウム等の金属製繊維を透光性を阻害しない程度に混入したものでもよく、この場合には均熱効果が期待できる。さらには、上記の合成樹脂を紙または不織布に含浸硬化させてなる透明または半透明のシートであっても良い。
【００３１】
被覆部材(4)を構成する透光性シートは、釘類・ねじ類保持力を有する前記第１の材料よりなる基材(3)と組み合わせられる場合、通常０．０４〜３ｍｍ程度の厚み、好ましくは０．０８〜１ｍｍ程度の厚みを有するものとなされる。被覆部材(4)を構成する透光性シートの厚みが上記範囲内のものであれば、釘類・ねじ類が入り易い上、釘類・ねじ類による亀裂や割れが生じ難く、また、基材(3)上面への接合時にシワが生じたり、重くて接合作業に支障を来す恐れがない。
【００３２】
一方、釘類・ねじ類保持力に欠ける前記第２の材料よりなる基材(3)と組み合わせられる場合、被覆部材(4)を構成する透光性シートは、釘類・ねじ類による床暖房パネル(1)の床下地への接合を可能にするために、釘類やねじ類の頭部が貫通しないものであることを要する。以上の点を考慮すると、この場合に被覆部材(4)を構成する透光性シートとしては、通常０．２ｍｍ程度以上の厚みを有するものが必要となる。但し、床暖房パネル(1)を釘類やねじ類で床下地に接合する際に該パネル(1)上面に窪みが生じ難くするためには、被覆部材(4)を構成する透光性シートの厚みを０．３ｍｍ程度以上とするのが好ましい。また、床暖房パネル(1)内の温水パイプ(2)に温水を流した場合には該パイプ(2)が膨張するが、床暖房パネル(1)上面に敷設する床材の材質や厚みによっては、膨張に伴う温水パイプ(2)の上方への動きを抑える必要が生じる。そのためには、被覆部材(4)を構成する透光性シートの厚みを０．４ｍｍ程度以上とするのが好ましい。
【００３３】
被覆部材(4)を構成するネットとしては、金属製ネット、合成繊維製ネット等を挙げることができる。金属製ネットの場合、温水パイプ(2)からの熱を床材に均一に伝える均熱効果が期待できる。このネットは、通常、釘類・ねじ類保持力を有する前記第１の材料よりなる基材(3)と組み合わせられる被覆部材(4)に適用される。また、ネットと前記透光性シートとを組み合わせたものによって被覆部材(4)を構成してもよい。透光性シートの上面または下面に金属製ネットが積層されてなる被覆部材(4)の場合、均熱効果が期待できる。
【００３４】
被覆部材(4)を構成する多孔シートとしては、打ち抜き等によって多数の貫通孔があけられた金属製シート、合成樹脂製シート、ＦＲＰ製シート等が挙げられる。多孔シートを構成する材料は、それ自体が透光性を有するものであっても構わない。また、金属製多孔シートの場合、温水パイプ(2)からの熱を床材に均一に伝える均熱効果が期待できる。この多孔シートは、前記第１の材料よりなる基材(3)と組み合わせられる被覆部材(4)、および第２の材料よりなる基材(3)と組み合わせられる被覆部材(4)のいずれにも適用できるが、後者の場合には、釘類やねじ類の頭部が貫通しないものであることを要する。また、多孔シートと前記透光性シートとを組み合わせたものによって被覆部材(4)を構成してもよい。透光性シートの上面または下面に金属製多孔シートが積層されてなる被覆部材(4)の場合、均熱効果が期待できる。
【００３５】
基材(3)と被覆部材(4)との接合手段は、双方の材料に応じて適宜に決めればよい。例えば、接着剤、粘着剤または両面粘着・接着テープによる接着、熱融着、ステープル止めが、単独でまたは複数組み合わされて、両者の接合が行われる。なお、被覆部材(4)が水や溶剤の吸収性に乏しい材料で構成されている場合、基材(3)との接着に用いる接着剤は、無溶剤系のものが好ましいが、ホットメルト型の形態のものでも良く、例えば、エポキシ系、アクリル系、ウレタン系、ウレタン変性等の変性シリコン系、合成ゴム系、ポリエチレン系、ポリプロピレン系等の接着剤を挙げることができる。また、上記の場合において基材(3)との接着に用いる粘着剤、両面粘着・接着テープとしては、アクリル系、ウレタン系、ウレタン変性等の変性シリコン系、合成ゴム系等のものを例示することができる。透光性を有する合成樹脂製シートよりなる被覆部材(4)については、その接合面（即ち、下面）を透光性を阻害しない程度に研磨紙等で研磨して粗面化し、接着剤や粘着剤の付着性を向上させるようにしても良い。この場合の研磨は、被覆部材(4)の接合面全面でもよいし部分的でもよい。また、透光性を有する合成樹脂製シートよりなる被覆部材(4)の接合面にコロナ放電処理等を施して、接着性や粘着性を向上させてもよい。
【００３６】
基材(3)と被覆部材(4)とを接着剤、粘着剤または両面粘着・接着テープによって接合する際には、接着剤等を基材(3)上面および被覆部材(4)下面のいずれに塗布・貼付しておいても構わない。もっとも、溝(31)に収容された温水パイプ(2)と被覆部材(4)との間に接着剤等の層が介在されていると、歩行に伴い、通湯時の温水パイプ(2)からの熱によって軟化し或いは粘着性を帯びた接着剤等と、温水パイプ(2)とが、接触したり離れたりし、それによって、いわゆる踏み鳴り音が発生することがある。特に、床材としてクッションシートや厚さ３ｍｍ程度の木質床材といった薄い材料が用いられている場合には、床面の浮沈によって上記のような踏み鳴り音が発生し易い。したがって、上記のような踏み鳴り音の発生を防止するため、特に床暖房パネル(1)の上に敷設される床材の厚さが薄い場合には、接着剤等を基材(3)上面に塗布・貼付して、温水パイプ(2)と被覆部材(4)との間に接着剤等の層が介在されないようにしておくのが好ましい。なお、接着剤等として、硬化または固化した状態において軟質または粘着性のあるものを使用する場合も、上記と同様に、温水パイプ(2)と被覆部材(4)との間に接着剤等の層が介在されないようにしておくのが好ましい。
【００３７】
上記の床暖房パネル(1)において、基材(3)の上面および温水パイプ(2)の外面が互いに異なる色を有する材料で構成されているのが好ましい。これにより、被覆部材(4)の上方からの温水パイプ(2)の視認が容易となる。なお、ここにいう「異なる色」とは、色の三属性である色相、あざやかさ、明るさのうち少なくともいずれか１つが異なる色であればよい（以下、同様である。）。例えば、温水パイプ(2)が合成樹脂製パイプよりなり、基材(3)が前記第１の材料（木質板等）よりなる場合、通常、温水パイプ(2)外面が半透明の白色系であるのに対して、基材(3)上面は温水パイプ(2)外面の色とは明らかに異なる色となる。よって、この場合、両者の色の相違によって、被覆部材(4)の上方からの温水パイプ(2)の視認が容易となる。また、温水パイプ(2)が合成樹脂製パイプよりなり、基材(3)が前記第２の材料のうちインシュレーションボードよりなる場合、通常、温水パイプ(2)外面が半透明の白色系であるのに対して、基材(3)上面は褐色系である。よって、この場合にも、被覆部材(4)の上方からの温水パイプ(2)の視認が容易となる。さらに、温水パイプ(2)が合成樹脂製パイプよりなり、基材(3)が前記第２の材料のうち硬質合成樹脂発泡体よりなる場合、通常、温水パイプ(2)外面が半透明の白色系であるのに対して、基材(3)上面は不透明の白色系であり、比較的似通った色となる。但し、温水パイプ(2)の外面が平滑であるのに対して、基材(3)上面は凹凸があるので、両者は光の反射態様が異なる。したがって、光の反射態様の相違によって、被覆部材(4)の上方から両者を判別して、温水パイプ(2)の位置を目視で確認することができる。もっとも、より明確に温水パイプ(2)を視認できるようにするためには、例えば、被覆部材(4)を構成する硬質合成樹脂発泡体として、顔料・染料の添加混合や、発泡時の加熱操作によって、温水パイプ(2)外面と異なる色が付されたものを用いればよい。
【００３８】
図３には、上記床暖房パネル(1)を用いた暖房床構造が示されている。この暖房床構造は、床下地(5)の上に床暖房パネル(1)が配されて釘類および／またはねじ類(7)によって接合され、床暖房パネル(1)の上に床材(6)が敷設されているものである。
【００３９】
床下地(5)は、コンクリートスラブや木質板よりなるフラット下地、および根太組下地のいずれであってもよい。もっとも、基材(3)が釘類・ねじ類保持力に欠ける前記第２の材料よりなる床暖房パネル(1)の場合、根太組下地への施工は困難である。リフォーム用として上記床暖房パネル(1)が用いられる場合には、木質床材等が敷設された既設の床面がフラット下地となる。
【００４０】
床暖房パネル(1)の施工に用いられる釘類としては、釘、スクリュー釘等が挙げられ、また、ねじ類としては、木ねじ、タッピンねじ、コーススレッドビス（商品名）等が挙げられる。図３では、床暖房パネル(1)がタッピンねじ(7)によって床下地(5)に接合されている。床暖房パネル(1)の床下地(5)への接合に際しては、釘類およびねじ類のいずれを使用してもよいが、被覆部材(4)に亀裂や割れが生じ難く、床下地(5)や床暖房パネル(1)への保持力に優れている点で、ねじ類の方が好ましく、その中でも、木ねじと比べてより優れた保持力を有するタッピンねじ、またはこれと同様の形状を有するねじが好ましい。
【００４１】
床材(6)は、図３に示すような木質フローリングの他、カーペット、コルク、合成樹脂製床材、クッションフロア等であっても良い。床材(6)は、接着剤や両面粘着・接着テープによる接着および／または釘類(8)・ねじ類による機械的接合によって床暖房パネル(1)に接合される場合の他、隣接床材どうしが接合された状態で床暖房パネル(1)の上に置敷きされる場合もある。図３では、木質フローリングよりなる床材(6)が、その雄実(61)から斜めに打ち込まれた釘(8)によって、床暖房パネル(1)に接合されている。なお、床材(6)の下面に、鉄、銅、アルミニウム等の金属シートや金属箔等よりなる均熱層を形成しておいてもよい。
【００４２】
図示は省略したが、床下地(5)上のうち床暖房が不要である床面に対応する箇所には、ダミーパネルが配されている。ダミーパネルには、温水パイプ(2)が内蔵されていないが、床暖房パネル(1)と同一の厚みを有している。ダミーパネルとしては、通常、温水パイプ(2)が収容される基材(3)上面の溝(31)を除いて床暖房パネル(1)と同一の構造を有するものが用いられる。
【００４３】
図３に示す暖房床構造を施工するにあたっては、まず床下地(5)の上に床暖房パネル(1)を配置してタッピンねじ(7)で固定するが、その際、床暖房パネル(1)の被覆部材(4)を通して該パネル(1)内の温水パイプ(2)を視認することができる。したがって、タッピンねじ(7)で温水パイプ(2)を破損させる恐れがない。次いで、敷設された床暖房パネル(1)の上に、床材(6)を配置して釘(8)で固定するが、その際にも、床暖房パネル(1)の被覆部材(4)を通して該パネル(1)内の温水パイプ(2)を視認することができるので、釘(8)で温水パイプ(2)を破損させる恐れがない。
【００４４】
図４には、本発明の第２の実施形態が示されている。図４に示す床暖房パネル(1)にあっては、その基材(3)の上面に、温水パイプ(2)の外面の色と異なる色が付された着色部(32)が設けられている。これにより、被覆部材(4)の上方からの温水パイプ(2)の視認が容易となる。着色部(32)の形成に際しては、平坦な状態の基材(3)の上面全面に着色剤を塗布して乾燥後、基材(3)上面に溝付け加工を行うようにしてもよいし、あるいは、溝付け加工された基材(3)の上面に着色剤を塗布して乾燥させるようにしてもよい。なお、図４では、着色部(32)が、基材(3)の上面全面に設けられているが、例えば斜め縞状のように基材(3)の上面に部分的に設けられていても構わない。
【００４５】
図５には、本発明の第３の実施形態が示されている。図５に示す床暖房パネル(1)にあっては、その温水パイプ(2)の外面に、基材(3)の上面の色と異なる色が付された着色部(21)が設けられている。これにより、被覆部材(4)の上方からの温水パイプ(2)の視認が容易となる。図５（ａ）では、着色部(21)が、温水パイプ(2)の外面全面に設けられている。図５（ｂ）では、着色部(21)が、温水パイプ(2)の外面の上側に直線状に設けられている。また、図５（ｃ）では、着色部(21)が、温水パイプ(2)の外面に螺旋状に設けられている。着色部(21)は、温水パイプ(2)外面に着色剤を塗布して乾燥させることにより形成することができる。
【００４６】
図６には、本発明の第４の実施形態が示されている。図６に示す床暖房パネル(1)にあっては、温水パイプ(2)が透光性を有する材料よりなり、溝(31)の内面に基材(3)の上面の色と異なる色が付された着色部(311)が設けられている。これにより、被覆部材(4)の上方からの温水パイプ(2)の視認が容易となる。図６（ａ）では、着色部(311)が、溝(31)の内面全面に設けられている。図６（ｂ）では、着色部(311)が、溝(31)の内面のうち底面のみに設けらている。また、図６（ｃ）では、着色部(311)が、溝(31)の内面のうち両側面のみに設けらている。着色部(311)は、基材(3)上面への溝付け加工等によって形成された溝(31)の内面に着色剤を塗布して乾燥させることにより形成することができる。
【図面の簡単な説明】
【図１】本発明の第１の実施形態を示すものであって、床暖房パネルの全体斜視図である。
【図２】図１のII−II線に沿う床暖房パネルの一部拡大垂直断面図である。
【図３】図１の床暖房パネルを用いた暖房床構造を示す一部拡大垂直断面図である。
【図４】本発明の第２の実施形態を示すものであって、床暖房パネルの一部を切り欠いて示す斜視図である。
【図５】本発明の第３の実施形態を示すものであって、床暖房パネルの一部を切り欠い
【図６】本発明の第４の実施形態を示すものであって、床暖房パネルの一部を切り欠い
【図７】従来の床暖房パネルの全体斜視図である。
【図８】図７のVIII−VIII線に沿う一部拡大垂直断面図である。
【符号の説明】
(1)：床暖房パネル
(2)：温水パイプ
(21)：着色部
(3)：基材
(31)：溝
(311)：着色部
(4)：被覆部材
(5)：床下地
(6)：床材
(7)：タッピンねじ
(8)：釘
【図１】
0003987988.tif 000002
【図２】
0003987988.tif 000003
【図３】
0003987988.tif 000004
【図４】
0003987988.tif 000005
【図５】
0003987988.tif 000006
【図６】
0003987988.tif 000007
【図７】
0003987988.tif 000008
【図８】
0003987988.tif 000009